Podtech/llm-jp-corpus-v4-ja_patent huggingface dataset:
(57)【要約】【課題】  円形基板の外周にダイヤモンド砥粒を含む切削部を形成しているダイヤモンドカッターにおいて、切断加工として使用される他に、研削部の表裏面を使用して対象物の面取り等の研削加工にも容易に且つ安全に使用できるカッターを提供する。【解決手段】  装着用透孔１を設けた円形基板２の外周側に、ダイヤモンド砥粒を含む切削部３を設けると共に、前記切削部３の円形基板半径方向の幅が１４ｍｍ以上であること。【選択図】  図１
0003110684.tif 000002
【実用新案登録請求の範囲】
【請求項１】
中央に装着用透孔を設けた円形基板の外周側に、ダイヤモンド砥粒を含む切削部を設けると共に、前記切削部の円形基板半径方向の幅が１４ｍｍ以上であることを特徴とするダイヤモンドカッター。
【請求項２】
中央に装着用透孔を設けた円形基板の外周に放射状の切り込みを有し、前記切り込み間における外周側に、ダイヤモンド砥粒を含む切削部を設けると共に、前記切削部の円形基板半径方向の幅が１４ｍｍ以上であることを特徴とするダイヤモンドカッター。
【請求項３】
切削部が、ダイヤモンド砥粒と合金粉末を混合して焼成したものである請求項１又は２記載のダイヤモンドカッター。
【考案の詳細な説明】
【技術分野】
【０００１】
本考案は、石材、タイル、コンクリートなどの切断に使用するダイヤモンドカッター    に関するものである。
【背景技術】
【０００２】
ダイヤモンドカッターは、図２に例示するとおり中央に装着用透孔０１を設けた円形基板０２の外周に冷却用の放射状の切り込み０３を有し、前記切り込み０３間の外周側にダイヤモンド砥粒を含む切削部０４を形成したもので、ダイヤモンド砥粒と合金粉末を混合して焼成し、チップとして円形基板の外周に配置して切削部としたもの（特許文献１）や、円形基板の外周部分の表裏及び端面にダイヤモンド砥粒層を形成して切削部としたもの（特許文献２）が知られている。
【０００３】
【特許文献１】特開２００２−１９２４６８号公報。
【特許文献２】特開２０００−１６７７７４号公報。
【考案の開示】
【考案が解決しようとする課題】
【０００４】
市販のダイヤモンドカッターは、直径１００ｍｍ、１２５ｍｍ、１６５ｍｍ、１８５ｍｍ等の規格品が多数存在している。これらの市販品における切削部０４の形状は、カッターの直径の大小に関係なく、外周縁から７ｍｍの幅に製造されている（図２は、１００ｍｍの直径の市販品の正面図）。
【０００５】
ところで、ダイヤモンドカッターは、所定の対象物の切断作業に使用される他、表裏面を使用して対象物の面取り等の研削に使用する場合がある。しかし前記の市販品は、切削部０４の幅が前記の通り７ｍｍしかない為に、表裏面を使用する研削作業に際して、切削部０４以外の円形基板０２の表面を研削対象に接触させてしまう虞があり、本来の目的以外の使用で危険である。
【０００６】
そこで本考案は、研削作業も容易に行える新規なダイヤモンドカッターを提案したものである。
【課題を解決するための手段】
【０００７】
本考案に係るダイヤモンドカッターは、中央に装着用透孔を設けた円形基板の外周側、又は円形基板の外周に放射状の切り込みを有し、前記切り込み間における外周側に、ダイヤモンド砥粒を含む切削部を設けると共に、前記切削部の円形基板の半径方向の幅が１４ｍｍ以上であることを特徴とするものである。
【考案の効果】
【０００８】
本考案に係るダイヤモンドカッターは、切削部の半径方向の幅を従前カッターの２倍以上の１４ｍｍ以上としたもので、切削部の表裏面を専ら使用する面取り作業が容易に且つ安全に実施することができた。
【考案を実施するための最良の形態】
【０００９】
次に本考案の実施形態について説明する。図１は第一実施形態に示したもので、ダイヤモンドカッターの直径が１００ｍｍの製品の場合を示したものである。
【００１０】
このダイヤモンドカッターは、中央に所定の大きさの装着用透孔１を設けた円形基板２の外周側に、ダイヤモンド砥粒を含む平板状の切削部３を形成したものである。そして特に切削部３の半径方向の幅を１４ｍｍ以上としたものである。
【００１１】
また図２は、第二実施形態を示したもので、この実施形態のダイヤモンドカッターは、基本的に従前と同様で、装着用透孔１を設けた円形基板２の外周に放射状の切り込み４を有し、前記切り込み間の外周側にダイヤモンド砥粒を含む平板状の切削部３を形成したものである。そして特に切削部３の半径方向の幅を１４ｍｍ以上としたものである。
【００１２】
従って上記の両実施形態のダイヤモンドカッターは、通常の切断加工の他に切削部３の表裏面で、タイルや石材の面取り等の研削加工を容易に行うことができるものである。
【００１３】
尚本考案は、１００ｍｍの規格以外に直径１２５ｍｍ、１６５ｍｍ、１８５ｍｍ等の規格品にも適用できるもので、それらのカッターにおいても、切削部の半径方向の幅を１４ｍｍ以上とするものである。
【００１４】
また切削部３の構成を、ダイヤモンド砥粒と合金粉末を混合して焼成し、チップとして円形基板の外周に配置しても良いし、また円形基板１の表裏及び端面にダイヤモンド砥粒層を形成して切削部３としても良いが、前者の場合には、切削加工用としての製品寿命が長くなる利点もある。
【図面の簡単な説明】
【００１５】
【図１】本考案の第一実施形態の正面図。
【図２】本考案の第二実施形態の正面図。
【図３】従前品の正面図。
【符号の説明】
【００１６】
１      装着用透孔
２      円形基板
３      切削部
４      切り込み
【図１】
0003110684.tif 000003
【図２】
0003110684.tif 000004
【図３】
0003110684.tif 000005
(57)【要約】      （修正有）【課題】二層傘布構造の傘骨フレームを提供する。【解決手段】受骨３３の外端にスライドブロック６が設けられ、並びに第２傘骨３２の内端と結合され第１傘骨３１の外部に嵌合され、傘が畳まれる時、第２傘骨がスライドブロックに伴い、第１傘骨に沿って内向きに移動し、全体が第１傘骨の内部に収納され、傘の外観上、上層の傘布のみ現出し、有効に総合長さが縮減され、折り畳み傘への応用に便利とされている。【選択図】図４
0003110689.tif 000002
【実用新案登録請求の範囲】
【請求項１】
上層傘布に被覆された第１傘骨と下層傘布に被覆された第２傘骨を具えた二層傘布構造の傘の傘骨フレームにおいて、
受骨の外端にスライドブロックが組み合わされ、該スライドブロックにより第２傘骨の内端が受骨の外端に枢設され、第２傘骨と第１傘骨がいずれもスライドブロックの開孔を貫通し、スライドブロックの移動に第２傘骨が協動して第１傘骨に沿ってスライドし、閉傘時に、スライドブロックが第１傘骨の内端に移動し、第２傘骨がほぼ完全に第１傘骨の内側に移動し、これにより第２傘骨を被覆する下層傘布が第１傘骨を被覆する上層傘布の内側に完全に内蔵されることを特徴とする、二層傘布構造の傘の傘骨フレーム。
【考案の詳細な説明】
【技術分野】
【０００１】
本考案は一種の二層傘布構造の傘の傘骨フレームに係り、周知の二層傘布構造の傘の実用性を高めて進歩性を具備するようにした二層傘布構造の傘の傘骨フレームに関する。
【背景技術】
【０００２】
周知の二層傘布構造の傘は図１から図３に示されるように、上層傘布１と下層傘布２の間のスリットを利用し、空気を進出させ、傘を開く時の破壊情況の発生を防止している。その構造は通常、第１傘骨３１、第２傘骨３２及び受骨３３を具え、第２傘骨３２の内端は第１傘骨３１の中段位置の固定ブロック３１１に枢設され、第２傘骨３２の内段位置に別の固定ブロック３２１が設けられて受骨３３の外端に枢設され、受骨３３の内端は可動ろくろ４に枢設され、可動ろくろ４が中棒５に沿って下向きに移動する時、第２傘骨３２が中棒５に接近するように畳まれて傘が畳まれる。この構造は、通常直骨傘にのみ使用され、それは第１傘骨３１、及び第２傘骨３２が畳まれる時の総長さに改変はなく、下層傘布２と上層傘布１は分離並列状態を呈し、整理時に相当に不便で、且つ外観が悪い。
【考案の開示】
【考案が解決しようとする課題】
【０００３】
本考案は改良した二層傘布構造の傘の傘骨フレームを提供することを目的とし、それは折り畳み傘に適用可能で、傘を畳んだ後、下層傘布が完全に上層傘布の内側に収納され、有効にその総合長さを短縮できるものとされる。
【課題を解決するための手段】
【０００４】
請求項１の考案は、上層傘布に被覆された第１傘骨と下層傘布に被覆された第２傘骨を具えた二層傘布構造の傘の傘骨フレームにおいて、
受骨の外端にスライドブロックが組み合わされ、該スライドブロックにより第２傘骨の内端が受骨の外端に枢設され、第２傘骨と第１傘骨がいずれもスライドブロックの開孔を貫通し、スライドブロックの移動に第２傘骨が協動して第１傘骨に沿ってスライドし、閉傘時に、スライドブロックが第１傘骨の内端に移動し、第２傘骨がほぼ完全に第１傘骨の内側に移動し、これにより第２傘骨を被覆する下層傘布が第１傘骨を被覆する上層傘布の内側に完全に内蔵されることを特徴とする、二層傘布構造の傘の傘骨フレームとしている。
【考案の効果】
【０００５】
本考案は改良した二層傘布構造の傘の傘骨フレームを提供し、それは折り畳み傘に適用可能で、傘を畳んだ後、下層傘布が完全に上層傘布の内側に収納され、有効にその総合長さを短縮できる。
【考案を実施するための最良の形態】
【０００６】
図４、５に示されるように、本考案は二層傘布構造の傘の傘骨フレームを提供し、それは、受骨３３の外端にスライドブロック６が組み合わされて、第２傘骨３２の内端が受骨３３の外端に枢設され、第２傘骨３２と第１傘骨３１がいずれもスライドブロック６の開孔を貫通し、これによりスライドブロック６のスライドに協動して第２傘骨３２が第１傘骨３１に沿ってスライドする。また、支持骨３４の外端が受骨３３中段の所定位置に枢設され、支持骨３４の内端が第１傘骨３１の内端と共同で上ろくろ５３に枢設される。閉傘時には、スライドブロック６が第１傘骨３１の内端に移動し、図７に示されるようであり、第２傘骨３２がほぼ完全に第１傘骨３１の内側に移動する。これにより、第２傘骨３２を被覆する下層傘布が完全に第１傘骨３１を被覆する上層傘布の内側に収納され、閉傘後の傘が単純な外観を有するものとなり、また整理及び使用に便利となる。
【０００７】
閉傘後に、第２傘骨３２と第１傘骨３１は重畳し、ゆえに傘フレームの総合長さが減少し、本考案が折り畳み傘に適用可能となり実用機能が増す。閉傘時には中棒を構成する各傘管間は弾性係止ブロック５１を係止部品とし、それは可動ろくろ４端縁の自動圧接を利用し、各傘管の収納が更に容易となり、これは図６、７に示されるようであり、閉傘後に、完全に可動ろくろ４内に内蔵され、またタブ５２もまた傘管に完全に被覆され、使用の安全性と便利性が増す。
【図面の簡単な説明】
【０００８】
【図１】周知の二層傘布構造の直骨傘の傘骨フレームの立体外観図である。
【図２】周知の二層傘布構造の直骨傘の傘骨フレームの開傘状態の局部正面図である。
【図３】図２の閉傘後の平面図である。
【図４】本考案の傘骨フレームの立体構造図である。
【図５】本考案の開傘状態の局部正面図である。
【図６】図５の局部拡大図である。
【図７】図５の閉傘過程状態図である。
【図８】図６の閉傘後の状態図である。
【符号の説明】
【０００９】
１  上層傘布        ２  下層傘布      ３１  第１傘骨      ３１１  固定ブロック
３２  第２傘骨      ３２１  固定ブロック        ３３  受骨
３４  支持骨        ４  可動ろくろ              ５  中棒
５１  係止ブロック  ５２  タブ                  ５３  上ろくろ
６  スライドブロック
【図１】
0003110689.tif 000003
【図２】
0003110689.tif 000004
【図３】
0003110689.tif 000005
【図４】
0003110689.tif 000006
【図５】
0003110689.tif 000007
【図６】
0003110689.tif 000008
【図７】
0003110689.tif 000009
【図８】
0003110689.tif 000010
(57)【要約】【課題】地震の揺れで根石が損傷しないように補強する。【解決手段】根石の上下２箇所を、接続金具３とボルト５を用いて互に結合する。接続金具はステンレス製、角筒形であり、４辺の各々に長孔があけており、これら長孔に適合するように、根石の各々にボルト孔６を穿設する。このボルト孔に根石の外側からボルト５を通して、金具の長孔３ａから出たボルトの先にナット７を螺合して締め付ける。【選択図】図４
0003110688.tif 000002
【実用新案登録請求の範囲】
【請求項１】
四角形または直角三角形断面の金属製筒体であって、該筒体を構成する辺にボルトを通す孔が穿設されている接続金具。
【請求項２】
該孔が中心軸に直角な方向に細長い長孔である請求項１に記載の接続金具。
【考案の詳細な説明】
【技術分野】
【０００１】
本考案は接続金具に関し、墓の外柵の組立などに好適のものである。
【背景技術】
【０００２】
墓の外柵が地震で壊れるのを防止するために、従来から、図９に示すように、縦横の根石２同士をボルト３０と接続金具３１を用いて結合している。しかし、接続金具３１は単に金属板をＬ字形に折曲しただけのもので、大きな力を受けると両辺が開いたり、狭まってしまったりしやすい。
【考案の開示】
【考案が解決しようとする課題】
【０００３】
この考案は、墓の外柵工事に好適な強度の高い接続金具を得ることを課題とする。
【課題を解決するための手段】
【０００４】
この考案の接続金具は、四角形または直角三角形断面の金属製筒体であって、筒体を構成する辺にボルトを通す孔を穿設したものである（請求項１）。孔は、従来通り、筒の中心軸に直角な方向に細長い長孔とすることができる（請求項２）。この金具は、従来のＬ字金具と同様、直角に接続したい両部材に、直角を挟む２つの辺をあてがい、孔にボルトを通して両部材に緊締する。
【０００５】
この接続金具は、従来のＬ字金具のような自由端がなく、筒状に形成したので、簡単に潰れたり、変形したりすることがない。このように高い強度を有するので、地震の際に強い力が加わっても、接続金具の隣り合う２つの辺は、開いたり狭まったりすることがなく、いつも直角の状態を保つことができる。
【０００６】
四角形断面の接続金具では、上述のような直交部材の接続に用いた場合、２辺のボルト孔は使われずに遊んでいる。この遊んでいるボルト孔に他のボルトの端を固定し、このボルトを利用して他の部材を固定することもできる。また、筒形にしたので、他の部材を中に通してからコンクリートを打設して、当該他の部材と接続させることもできる。このように、この金具は応用範囲が広いという特徴もある。
【考案を実施するための最良の形態】
【０００７】
図１は墓の基礎部分の斜視図であり、まず、基礎コンクリート１を打ち、その上に根石２を矩形に並べる。根石の上に敷石２０を並べ、その上の周囲に欄干２１（図２）が、中央に石塔２２（図３）が載る。
【０００８】
根石２は天然石を板状に加工したもので、図４に示すように、上下２箇所を、接続金具３とボルト５を用いて互に結合する。
【０００９】
接続金具３はステンレス製、角筒形であり、４辺の各々に長孔３ａがあけてある。接続金具の製作は、長尺の角筒を輪切りにしてもよいし、１個づつ溶接組立で作ることも可能である。なお、接続金具３は図８に示すように、直角三角形断面でもよい。
【００１０】
接続金具の長孔３ａに適合するように、根石の各々にボルト孔６を穿設する。このボルト孔に根石の外側からボルト５を通して、金具の長孔３ａから出たボルトの先にナット７を螺合して締め付ける。
【００１１】
このように通しボルトで締め付けるようにしたので、従来のアンカーボルトのように地震の際に抜けることがなく、根石と根石を強固に結合することができる。
【００１２】
図５は結合部の断面図であり、根石２の外面にボルト孔６と同心に窪み９を設け、その中にボルト５の頭５ａ（またはナット）が沈み込むようにする。さらに窪み９に飾りダボ１０を嵌め込む。ダボは根石と同じ石材からきのこ形に削り出したもので、茎１０ａの部分を窪みに嵌入、接着する。こうして外にボルトやボルト孔が現れないので、見栄えよく仕上げることができる。
【００１３】
図６は基礎コンクリート１に立てた鉄筋１１を利用して外柵自体を補強したものである。角筒の接続金具３は、この鉄筋の中に通してから根石にボルト締めする。その後、型板（図示しない。）を上下の接続金具の外面に取り付けて鉄筋の周りを覆い、その中にコンクリート１２を打設するようにする。このものでは、根石が鉄筋を介して基礎コンクリートに固定されるので、根石のずれや浮き上がりを防止できる。
【００１４】
図１において符号１３は納骨堂の左右の壁石であり、この石は前側の根石２から後側の根石２まで達しており、その間が納骨堂１５になっている。この壁石１３の端部上下にボルト孔をあけ、これに長いボルト１６を通してナット１７で固定する（図７も参照）。この長ボルト１６の先を、根石と根石を結合している角筒状の接続金具３の内側辺の孔に挿入し、ナット１７で固定する。こうすることで、壁石が左右に動かないようしっかりと固定することができる。
【００１５】
なお、壁石と根石の結合は、接続金具を使って根石同士の場合（図４）と同じように行うこともできる。
【００１６】
根石２の上には、敷石２０や欄干２１が載るが、これらの石をしっかり固定するためスピンドル１９を用いる。図４に示すように、根石２の上に垂直に孔１９をあけ、その中に挿入してスピンドル１９（ステンレス製）を立てる。一方、敷石２０および欄干２１のそれぞれに孔１９ａをあけておき、これらの孔にスピンドルの上部を挿入するようにしてこれらの石を根石２の上に載置する（図２）。こうすることで、これらの石を根石の上にきちんと位置決めして、地震の揺れでズレないようにすることができる。
【図面の簡単な説明】
【００１７】
【図１】墓の基礎部分の斜視図である。
【図２】墓の側面図である。
【図３】墓の中央断面図である。
【図４】接続金具を使った根石の組立状態を示す斜視図である。
【図５】図４のボルトの軸に沿う断面図である。
【図６】図４の構成をさらに鉄筋で補強した図である。
【図７】納骨堂の壁の補強構造を示す平面図である。
【図８】三角形の接続金具の斜視図である。
【図９】根石同士の従来の補強構造を示す平面図である。
【符号の説明】
【００１８】
２    根石
３    接続金具
５    ボルト
６    ボルト孔
９    窪み
１１  鉄筋
１２  コンクリート
１３  納骨堂壁石
１６  長ボルト
１７  ナット
【図１】
0003110688.tif 000003
【図２】
0003110688.tif 000004
【図３】
0003110688.tif 000005
【図４】
0003110688.tif 000006
【図５】
0003110688.tif 000007
【図６】
0003110688.tif 000008
【図７】
0003110688.tif 000009
【図８】
0003110688.tif 000010
【図９】
0003110688.tif 000011
(57)【要約】      （修正有）【課題】神秘性に富み、年月が経過しても変色することのない仏像体およびこのような仏像体を収納した仏壇を提供することである。【解決手段】クリスタルの柱体１２と、柱体の内部に三次元レーザー装置によって彫り込まれた仏像１４とを備えていることを特徴とする仏像体１０が提供される。好ましくは、仏像体は、柱体の底部及び／又は頂部に配置され、柱体を下方及び／又は上方から照らし出す光源部１６を備えている。また、仏像体が収納される仏壇２０が提供される。【選択図】図４
0003110517.tif 000002
【実用新案登録請求の範囲】
【請求項１】
クリスタルの柱体と、
前記柱体の内部に三次元レーザー装置によって彫り込まれた仏像とを備えていることを特徴とする仏像体。
【請求項２】
前記柱体の底部及び／又は頂部に配置され、前記柱体を下方及び／又は上方から照らし出す光源部を更に備えていることを特徴とする仏像体。
【請求項３】
前記請求項１又は２に記載の仏像体が収納されていることを特徴とする仏壇。
【考案の詳細な説明】
【技術分野】
【０００１】
本考案は、仏像体および該仏像体を収納した仏壇に関する。
【背景技術】
【０００２】
仏壇には通常、各宗派に対応して用意された仏像が安置されている。このような仏像は、木によって形成されているものが一般的である。
【考案の開示】
【考案が解決しようとする課題】
【０００３】
しかしながら、木の仏像は、神秘性に乏しく、年月を経ると変色するなどの課題があった。本考案は、このような状況に鑑みて案出されたものであって、神秘性に富み、年月が経過しても変色することのない仏像体および該仏像体を収納した仏壇を提供することを目的とする。
【課題を解決するための手段】
【０００４】
本願請求項１に記載の仏像体は、クリスタルの柱体と、前記柱体の内部に三次元レーザー装置によって彫り込まれた仏像とを備えていることを特徴とするものである。
【０００５】
本願請求項２に記載の仏像体は、前記請求項１の仏像体において、前記柱体の底部及び／又は頂部に配置され、前記柱体を下方及び／又は上方から照らし出す光源部を更に備えていることを特徴とするものである。
【０００６】
本願請求項３に記載の仏壇は、前記請求項１又は２に記載の仏像体が収納されていることを特徴とするものである。
【考案の効果】
【０００７】
本考案の仏像体によれば、神秘性に富んだ、見栄えのよい仏像体が提供される。また、光源部を用いて下方及び／又は上方から仏像体を照らし出すことにより、神秘性を一層高めることができる。さらに、本考案の仏像体を仏壇に収納することにより、仏壇にも、神秘性を漂わせることができる。
【考案を実施するための最良の形態】
【０００８】
次に、図面を参照して、本発明の好ましい実施の形態に係る仏像体について詳細に説明する。図１は、本発明の好ましい実施の形態に係る仏像体を示した斜視図である。図１において全体として参照符号１０で示される本発明の好ましい実施の形態に係る仏像体は、クリスタルの柱体１２の内部に形成された仏像１４を備えている。なお、柱体１２は、純度の高い透明なものが好ましい。
【０００９】
仏像１４は、三次元レーザー彫刻装置（図示せず）を用いて、柱体１２の内部に彫り込まれる。仏像１４を彫り込むのに用いられる三次元レーザー彫刻装置は、公知のものを使用してよい。
【００１０】
三次元レーザー彫刻装置による彫刻は、以下のように行われる。まず、仏像をデザインして、仏像の各部の三次元位置（ｘ，ｙ，ｚ）データをコンピュータに読み込む。次いで、彫り込むための適切なレーザー光線の圧力と速度を選択して、三次元レーザー彫刻装置に仏像の各部の三次元位置データを送出する。そして、三次元レーザー彫刻装置を作動させて、仏像の各部の三次元位置データに合わせてレーザー光線を照射して、仏像を彫り込む。
【００１１】
好ましくは、仏像体１０は、柱体１２の底部に配置され、柱体１２を下方から照らし出す光源部１６を更に備えている。光源部１６は、ＬＥＤ（発光ダイオード）を用いてもよく、或いは白熱電球などを用いてもよい。図３は、光源としてＬＥＤを用いた場合の一例を示した断面図である。図３において、参照符号１６ａ、１８ａ、１８ｂ、１８ｃ、１８ｄ、１８ｅ、１８ｆは、光源部１６の頂部に設けられた開口、ＬＥＤ基板、ＬＥＤ、配線、抵抗器、リード線、電源コードをそれぞれ表している。
【００１２】
図４は、仏像体１０が収納される仏壇２０を示している。図４においては、仏像体１０の高さは、仏壇２０の内部高さのほぼ半分程度であるが、仏像体の１０の高さを仏壇２０の内部高さと同程度にしてもよい。
【００１３】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１４】
例えば、前記実施の形態では、柱体１２が円柱体で形成されているが、柱体を図５（１０′；仏像体、１２′；柱体）に示されるように半円柱体で形成してもよく、ｎ角柱体（ｎ≧３）で形成してもよい。また、前記実施の形態では、光源部１６が柱体の底部に設けられているが、光源部１６を柱体の頂部に設けてもよく、或いは、柱体の底部と頂部の両方に設けてもよい。
【図面の簡単な説明】
【００１５】
【図１】本考案の好ましい実施の形態に係る仏像体を示した斜視図である。
【図２】図１の仏像体の正面図である。
【図３】光源部の内部を示した断面図である。
【図４】仏像体が収納されている仏壇を示した正面図である。
【図５】柱体が半円柱体で形成されている変形例を示した斜視図である。
【符号の説明】
【００１６】
１０、１０′  仏像体
１２、１２′  柱体
１４  仏像
１６  光源部
１８ｂ  ＬＥＤ（発光ダイオード）
２０  仏壇
【図１】
0003110517.tif 000003
【図２】
0003110517.tif 000004
【図３】
0003110517.tif 000005
【図４】
0003110517.tif 000006
【図５】
0003110517.tif 000007
(57)【要約】【課題】単極モーター、単極発電機において回転子が伝導体で無く、導電性磁石である場合、回転子から固定子回路への接触はブラシを介している。それゆえ点状接触固定子による作用、反作用による電動と発電である。そこで作用を点から線、面へと広げて馬力の向上と発電量の増加せしめる事が課題である。【解決手段】本考案では、導電性磁石の回転子に接する固定子回路の部分に導電性液体を用いて面接触とし反力を与える固定子回路を構成して課題を解決する。【選択図】図１
0003110538.tif 000002
【実用新案登録請求の範囲】
【請求項１】
単極モータおよび単極発電機において、導電性磁石の回転子に接する部分に導電性液体を用いて反力を与える固定子回路を構成する。
【考案の詳細な説明】
【技術分野】本考案はファラデーの単極モーターと単極発電機に関する。
【背景技術】磁石の極平面と導体円盤面が平行に置かれた配置において回転する導体円盤の中心軸と外周縁には起電力が生じる事、また磁石が導体円盤と同様に回転していても起電力が生じる事、また同様の磁石との配置で導体円盤の中心軸と外周縁に電流を流すと円盤が回転する事をファラデーが発見した。以来、起電力発生と回転力のしくみの解明と応用が考えられて現在に至っている。円筒の内面と外面が磁石の両極となっている円筒状磁石と同軸で径が大きい導体円筒を回転させて導体円筒の両端からブラシを介して起電力を取り出す発電機、導電性円筒磁石を単独回転させて起電力を取り出す発電機の実験が成功している。もちろん、外部から直流電流をブラシを介して導体円筒もしくは導電性磁石円筒に流して動かすモーターも実証されている。
【考案の開示】
【考案が解決しようとする課題】単極モーター、単極発電機において回転子が伝導体で無く、導電性磁石である場合、従来の固定子回路への接触はブラシを介する点状と言える。ために点状接触による作用、反作用による電動と発電である。そこで作用を点から線、面へと広げて馬力の向上と発電量の増加せしめる事が考えられる。
【課題を解決するための手段】本考案では、導電性磁石の回転子に接する部分に導電性液体を用いて面接触とし反力を与える固定子回路を構成して課題を解決する。
【考案の効果】単極モーターの馬力の向上と単極発電機の発電量の増加のために、回転子に接する部分を面接触とする導電性液体を用いて固定子回路を構成する事に成功した。
【考案を実施するための最良の形態】以下、実施例に基づいて、この発明を更に詳細に説明する。
【実施例１】  図１で、ネオジュウム平板磁石１で帯状の銅板の中央部を上下二つで挟みこんだものを駆動部（回転子に該等）２とする。片方の側面にスリット３を有する銅製の二つの容器型レール４に、表面張力により水銀５がスリットからこぼれ出さない水準まで満たし、駆動部２の両翼６を容器側面のスリット３に差し込み端子７から３０Ａを越える電流を流すと駆動部２は走行する。また駆動部を外力で前進、後進させる事により正もしくは負の起電力を得る。
【産業上の利用可能性】固定子を導電性液体とする事により、単極モーターもしくは単極発電機の回転子との接触が面状に広がり単極モーターの馬力アップもしくは単極発電機の出力アップが可能となる。
【図面の簡単な説明】
【図１】導電性液体のレール容器と両レールを跨ぐ駆動部の正面図（ａ）と上面図（ｂ）である。
【符号の説明】
１  駆動部板磁石
２  駆動部
３  スリット
４  レール容器
５  水銀
６  駆動部翼
７  端子
【図１】
0003110538.tif 000003
(57)【要約】【課題】従来の技術による諸問題を解決するため、サーバーの外観と機械的強度を影響せずに、同一のサーバー内における複数の電源モジュール間の切り替えを可能にするスイッチ構造を提供する。【解決手段】サーバーに使用される電源スイッチモジュール構造は、サーバーの回路を収容して固定するサーバー本体と、本体の一側に設けられる支持体と、支持体の内部にあり支持体と結合され、電源モジュールを隔てて固定し、機械的強度を補強するための隔板とを含む。【選択図】図１
0003110531.tif 000002
【実用新案登録請求の範囲】
【請求項１】
サーバーに使用される電源スイッチモジュール構造であって、
サーバーの回路を収容して固定するサーバー本体と、
本体の一側に設けられる支持体と、
支持体の内部にあり支持体と結合され、電源モジュールを隔てて固定し、機械的強度を補強するための隔板とを含むことを特徴とするサーバー電源スイッチモジュール構造。
【請求項２】
前記支持体が本体とリベットで結合されることを特徴とする請求項１記載のサーバー電源スイッチモジュール構造。
【請求項３】
前記隔板が支持体とネジで結合されることを特徴とする請求項１記載のサーバー電源スイッチモジュール構造。
【請求項４】
前記隔板が支持体とほぞで結合されることを特徴とする請求項１記載のサーバー電源スイッチモジュール構造。
【考案の詳細な説明】
【技術分野】
【０００１】
この考案はサーバーに使用される電源モジュールのスイッチ構造に関し、特に複数の電源モジュール間の切り替えを可能にするスイッチ構造に関する。
【背景技術】
【０００２】
従来のサーバーは単一の電源モジュールに対応して設計され、それに当初の設計と異なった電源モジュールを取り付けるのは不可能である。よって、当初の設計と異なった電源モジュールをクライアントが要求すれば、その要求に応じて改めてサーバーを設計しなければならず、別途のコストが必要となる。のみならず、サーバーのユーザーも当初の設計と異なった電源モジュールを使用することができない。
【０００３】
したがって、同一のサーバー内における複数の電源モジュール間の切り替えを可能にするスイッチ構造の設計は課題となる。
【考案の開示】
【考案が解決しようとする課題】
【０００４】
この考案は前述の問題を解決するため、サーバーの外観と機械的強度を影響せずに、同一のサーバー内における複数の電源モジュール間の切り替えを可能にするスイッチ構造を提供することを課題とする。
【課題を解決するための手段】
【０００５】
この考案によるサーバーに使用される電源スイッチモジュール構造は、サーバーの回路を収容して固定するサーバー本体と、本体の一側に設けられる支持体と、支持体の内部にあり支持体と結合され、電源モジュールを隔てて固定し、機械的強度を補強するための隔板とを含む。
【考案の効果】
【０００６】
この考案による電源モジュールのスイッチ構造は、サーバーの外観及び機械的強度を影響せずに、単一電源と冗長電源など複数の電源モジュール間の切り替えを可能にする。
【考案を実施するための最良の形態】
【０００７】
かかる装置の特徴を詳述するために、具体的な実施例を挙げ、図示を参照にして以下に説明する。
【実施例１】
【０００８】
図１を参照する。実施例１によれば、この考案は１Ｕサーバーに適用する（１Ｕとは１．７５インチ／４．４４５センチを基準とする規格）。まずサーバーの本体１１に支持体１２をリベットで締め、支持体の中間位置に隔板１３をネジで固定する。隔板１３で区分けされた領域にはそれぞれ第一冗長電源１４１と第二冗長電源１４２を取り付け、これらの冗長電源１４１、１４２は電力を電力伝送板１５でサーバー内における電力を要求する箇所に伝送する。複数の電源間の切り替えを可能にするため、電力伝送板１５には複数の電源に対応するコネクターが設けられる。例えば、冗長電源は配電板でサーバーと接続し、単一電源は２０ピンまたは２４ピンのコネクターでサーバーと接続する。よって、電力伝送板１５に配電板及び２０ピン／２４ピンコネクターを設け、電源切替時の電源接続を可能にする。
【実施例２】
【０００９】
図２を参照する。１組の冗長電源を設置する実施例２において、まずサーバーの本体１１に支持体１２をリベットで締め、支持体の中間位置に隔板１３を取り付ける。実施例１と異なって実施例２では、隔板１３で区分けされた領域のいずれかに冗長電源１４１を設置し、冗長電源１４１による電力を電力伝送板１５でサーバー内における電力を要求する箇所に伝送する。
【実施例３】
【００１０】
図３を参照する。１組の単一電源を設置する実施例３において、まずサーバーの本体１１に支持体１２をリベットで締める。実施例１と異なって実施例３では、支持体の適切な箇所に隔板１３と隔板１６を取り付け、両隔板１３、１６の間隔を単一電源３４の幅より大きいようにして両隔板１３、１６間の領域で単一電源３４を収容する。
【００１１】
以上はこの考案に好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録の範囲に属するものとする。
【産業上の利用可能性】
【００１２】
この考案による電源モジュールのスイッチ構造は、サーバーの外観及び機械的強度を影響せずに、単一電源と冗長電源など複数の電源モジュール間の切り替えを可能にする。
【図面の簡単な説明】
【００１３】
【図１】２組の冗長電源を設置するこの考案の実施例１を表す説明図である。
【図２】１組の冗長電源を設置するこの考案の実施例２を表す説明図である。
【図３】１組の単一電源を設置するこの考案の実施例３を表す説明図である。
【符号の説明】
【００１４】
１１              サーバー本体
１２              支持体
１３、１６        隔板
１５              電力伝送板
３４              単一電源
１４１、１４２    冗長電源
【図１】
0003110531.tif 000003
【図２】
0003110531.tif 000004
【図３】
0003110531.tif 000005
(57)【要約】      （修正有）【課題】自動車の駐停車時の追突前突防止安全幕版を提供する。【解決手段】車内に於いてワンタッチで開放出来るトランク、ボンネットに予め取付けた安全表字幕版（ハザードランプを車内の電源を用いて点灯させる。なお蛍光反射板、赤色反射鏡を併用）を解放時に作動させる。【選択図】図２
0003110535.tif 000002
【実用新案登録請求の範囲】
【請求項１】
自動車の本体より電源を用い昼夜をとわず判別できる追突前突防止に最適な反射鏡文字入り及びに複数のハザードランプ（非常点滅灯）を用いた駐停車安全確保の幕板
【請求項２】
乗用自動車の本考安安全幕板使用に於てわ後尾トランク前部ボンネットを開いた状態で車内に取り付られた幕板が開きワンタッチで使用できる又運搬車に於てわ後尾、前部バンバー上に収納箱若しくわ引出しを設け最適の高さにセットして本考案幕板を使用する
【考案の詳細な説明】
【考案の詳細な説明】
【０００１】  〔考案が解決しようとする課題〕
従来いわゆる事故及び緊急駐停車に於いて路上に赤色三角表示か非常点滅灯を使用するしかなかった又発炎筒を使用しても分時間にかぎられトンネル内では使用できない此の考案わ図一のようにワンタッチで使用でき遠方車よりの駐車が確認でき追突前突の防止となる
【０００２】  〔課題を解決するための手段〕
上記目的を達成するにはあらかじめ乗用車なら後尾トランク前部ボンネットを開いた瞬時に車内に取付た安全幕板が作動し安全表示のハザードランプが点滅し反射鏡文字が浮上り遠方車より駐車中の車が確認できるようにしなければならない又そのように設備する
運搬車でも後尾、前部の考案幕板が作動するようにセットし乗用車同様に容易に安全確保ができ追突前突の防止となる
【０００３】  〔考案の効果〕
従来の駐停車中の追突事故防止には難点があったが此の考案わその欠点を改良し補ない車社会の安全確保の効果となる
【図面の簡単な説明】〔図１〕
自動車の横面である
〔図２〕
自動車の後尾である
〔図３〕
自動車の前面である
【符号の説明】
１  自動車の本体
２  安全幕板
【図１】
0003110535.tif 000003
【図２】
0003110535.tif 000004
【図３】
0003110535.tif 000005
【手続補正書】
【提出日】平成16年8月20日(2004.8.20)
【手続補正１】
【補正対象書類名】実用新案登録請求の範囲
【補正対象項目名】全文
【補正方法】変更
【補正の内容】
〔書類名〕    実用新案登録請求の範囲
〔請求項１〕自動車の後部（トランク）前部（ボンネット）に取付ける追突及び前突防止幕板
〔請求項２〕自動車の駐停車を後続車対向車に認知させる為、後部（トランク）前部（ボンネット）を車内に於いて適宜に開放する既設の機能を利用し開放時に昼夜を問わず遠方より確認できる安全表示幕板
〔請求項３〕上記の考案の安全表示幕板はハザードランプ、蛍光反射板、赤色反射鏡など既存する安全器具を使用する安全表示幕板
【手続補正２】
【補正対象書類名】明細書
【補正対象項目名】全文
【補正方法】変更
【補正の内容】
〔書類名〕    明細書
〔考案の名称〕自動車の駐停車時の追突前突防止安全幕板
〔技術分野〕
（０００１）本考案は自動車の後部（トランク）前部（ボンネット）開放時に取付け駐停車時の追突、前突防止用の安全確保の表示幕板である。
〔背景技術〕
（０００２）従来の駐停車時に於いて追突、前突防止囲として路上に赤色三角表示又はハザードランプを使用するしかなく雨天、トンネル内、濃霧などの場合その使用に難点があり駐停車中の追突、前突などの事故が起きた。
〔考案の開示〕
〔考案が解決しようとする課題〕
（０００３）本考案は従来の難点を解決し、自動車の持つ後部（トランク）前部（ボンネット）を車内に於いて開放する機能を適宜に利用し、予めトランク、ボンネットに取付けた本考案の“追突前突防止安全幕板”を開放時に作動させ駐停車時の追突、前突防止囲とする。
〔課題を解決する為の手段〕
（０００４）駐停車時に於いて後続車の追突、対向車の前突される恐れのある高速道に於いてはその危険は増大する車外に出る危険度はなおさらである。この問題を解決する為既設の車内の於いてワンタッチで開放できるトランク、ボンネットに予め取付けた本考案の安全表示幕板（ハザードランプを車内の電源を用いて点滅させる。なお蛍光反射板、赤色反射鏡を併用）を開放時に作動させれば駐停車時の追突、前突防止囲となる。
〔考案の効果〕
（０００５）本考案の安全表示幕板使用時に於いての追突、前突防止安全対策として
▲１▼遠方よりその高さに於いて確認できる
▲２▼緊急駐停車に於いてトランク、ボンネットを適宜の開放することにより安全表示幕板が作動して車外に出ること無く緊急事態を認知させることができる
▲３▼トンネル内、雨天、濃霧、昼夜を問わず駐停車表示ができ追突、前突の回避となる
〔考案を実施する為の最良の形態〕
（０００６）自動車の本体より電源を適宜に利用してトランク、ボンネットの開放時に遠方より容易に確認できる。ハザードランプ、蛍光反射板、赤色反射鏡などを併用したトランク、ボンネット開放時の上下前部高さ幅は遠方より容易に確認できるトランク、ボンネットの開放時の２／３を適宜とする。
〔図面の簡単な説明〕
（０００７）
（別紙図１）自動車の横面とトランク、ボンネットの開放時及び安全表示幕板の使用状態の横面
（別紙図２）トランクの開放時の安全表示幕板使用状態
（別紙図３）ボンネットの開放時の安全表示幕板使用状態
〔符号の説明〕
（０００８）１．自動車本体
２．安全表示幕板
３．ハザードランプ
４．蛍光反射板
５．赤色反射鏡
【手続補正３】
【補正対象書類名】図面
【補正対象項目名】全図
【補正方法】変更
【補正の内容】
〔書類名〕図面
0003110535.tif 000006
0003110535.tif 000007
0003110535.tif 000008
【手続補正書】
【提出日】平成17年2月9日(2005.2.9)
【手続補正１】
【補正対象書類名】実用新案登録請求の範囲
【補正対象項目名】全文
【補正方法】変更
【補正の内容】
【実用新案登録請求の範囲】
【請求項１】
自動車の本体より電源を用い昼夜を問わず判別できるようにした追突前突防止に最適な反射鏡文字と複数のハザードランプとを備えた追突前突防止安全幕板。
【請求項２】
前記追突前突防止安全幕板は後尾トランクと前部ボンネットとに取り付けたことを特徴とする請求項１に記載の追突前突防止安全幕板。
【手続補正２】
【補正対象書類名】明細書
【補正対象項目名】０００７
【補正方法】変更
【補正の内容】
【０００７】
【図１】自動車の横面とトランク、ボンネットの開放時及び安全表示幕板の使用状態の横面
【図２】トランクの開放時の安全表示幕板使用状態
【図３】ボンネットの開放時の安全表示幕板使用状態
(57)【要約】      （修正有）【課題】洗濯物干用ピンチを重ねても、折畳式の洗濯物干用ピンチを折畳んでも、全く絡まらない洗濯物干用ピンチを提供する。【解決手段】本考案は、洗濯物干用ピンチの洗濯バサミの指でつまむ部分の両サイドの側面４箇所に、縦長の穴を開けその穴を通る１つの輪を付けることによって、洗濯物干用ピンチを幾つも重ねても、折りたたみ式の洗濯物干用ピンチを折畳んでも、全く絡まらないので、直ぐに使用できる。【選択図】図２
0003110536.tif 000002
【実用新案登録請求の範囲】
【請求項１】
洗濯物干用ピンチを幾つも重ねると、ピンチとピンチが絡まってしまうので、絡まるのを解決する為に、洗濯バサミの一部にプラスティック等適宣素材で輪を作り、洗濯物干用のピンチを幾つも重ねても、折りたたみ式洗濯物干用ピンチを折畳んでも、全く絡まらないのを特徴とした洗濯物干用ピンチ。
【考案の詳細な説明】
【技術分野】
【０００１】  洗濯物干用ピンチに付いている洗濯バサミの全ての側面に縦長の穴を開け、穴にプラスティック等適宣素材を通して輪を作ります。洗濯物干用ピンチを重ねて置いても、折りたたみ式の洗濯物干用ピンチを畳んでおいても、全く絡まらない、洗濯物干用ピンチです。
【背景技術】
【０００２】  洗濯物が乾いたら洗濯バサミから外します。洗濯物干用ピンチを重ねて置きます。次の日に洗濯物を干そうとして、洗濯物干用ピンチを取り出そうとしますが、洗濯物干用ピンチと洗濯物干用ピンチが、絡まってなかなか離れません。無理をして離そうとしても、なかなか離れないので、朝の忙しい時間は本当に困っていました。
【考案の開示】
【考案が解決しようとする課題】
【０００３】  洗濯物干用ピンチを竿に吊るしたままにしておくと、邪魔になりますので、洗濯物干用ピンチを、幾つも重ねてしまって置きます。次の日に使用する時、洗濯物干用ピンチと洗濯物干用ピンチが、絡まって離れません。それは、洗濯バサミを指でつまむ箇所が、いろいろな個所に引っかかって絡まってしまうのです。絡まらない様になれば、洗濯物干用ピンチを重ねてしまって置いても、折畳式の洗濯物干用ピンチを畳んでおいても、直ぐ取り出して使用することが出来るので、朝の貴重な時間も短縮出来ます。
【課題を解決するための手段】
【０００４】  洗濯物干用ピンチに付いている洗濯バサミの指でつまむ辺りの側面に横２ミリメートル、縦３ミリメートルの縦穴を、左右２箇所づつの４箇所に開けるのですが、洗濯物干用ピンチに付属している全ての洗濯バサミに穴を開けます。穴に、厚さ１ミリメートル、幅２ミリメートル、長さ６センチの細長いプラスティック等適宣素材のものを通して先端をつなげて輪を作ります。吊るしてあるプラスティック等の鎖状のものが内側になる様に輪が出来ました。これで、洗濯物干用ピンチを幾つ重ねても、折畳式の洗濯物干用ピンチを畳んでも、全く絡まらない事が、問題点を解決している。
【考案の効果】
【０００５】  上述の様に、洗濯物干用ピンチを、幾つ重ねても、折畳式の洗濯物干用ピンチを畳んでも、全く絡まらない事により、使用する時に絡んだのを取り外す手間を省くことが出来るので、時間の短縮になる。
【考案の実施する為の最良の形態】
【０００６】  洗濯物干用ピンチに付いている１つの洗濯バサミに対し指でつまむ辺りの側面２箇所ずつ合計４箇所に縦長の穴を開ける。その穴に細いプラスティック等適宣素材のものを通すのですが、４箇所の穴を、スムーズに通れるようにする為に、柔軟性、かつ、弾力性のあるもので、折れない丈夫な素材を使用すると良い。
【実施例】
【０００７】  以下、添付図面に従って、１実施例を説明する。１は洗濯物干用ピンチ本体。１ａは本体の枠の部分で、３は１ａから吊るしてある洗濯バサミ。２は、吊り下げる部分で鎖状のもの。２は４を吊り上げて３を支えている。３の指でつまむ辺りの両側面の４箇所の穴を３ａとする。３ａの穴を通るプラスティック等適宣素材のものを５とする。５は２を囲むように３ａを通ってつなげて輪を作る。輪が出来た事により、洗濯物干用ピンチは絡まらなくなる。
【図面の簡単な説明】
【０００８】
【図１】本考案の洗濯物干用絡まらないピンチを示す全図である。
【図２】本洗濯物干用絡まらないピンチの一部詳細図である。
【符号の説明】
【０００９】    １    洗濯物干用ピンチ
１ａ  洗濯物干用ピンチの枠
２    吊り下げ用の鎖状のもの
３    洗濯バサミ
３ａ  指でつまむ辺りの側面の４箇所の穴
４    針金
５    絡まない為のプラスティック等適宣素材の輪
【図１】
0003110536.tif 000003
【図２】
0003110536.tif 000004
【手続補正書】
【提出日】平成16年6月29日(2004.6.29)
【手続補正１】
【補正対象書類名】実用新案登録請求の範囲
【補正対象項目名】全文
【補正方法】変更
【補正の内容】
【実用新案登録請求の範囲】
【請求項１】
洗濯物干用ピンチを幾つも重ねると、ピンチとピンチが、絡まってしまうので、絡まるのを解決するために、洗濯バサミの上部分、つまり指でつまむ部分ではなく、その脇の指でつままない部分に、４箇所に穴を開け、その穴４箇所を通るプラスティック等適用素材の輪を１つ作ります。この場合、洗濯バサミが大きければ、輪も大きくなります。つまり、輪を作る為のプラスティック等適用素材の長さが、洗濯バサミの大きさによって違います。この輪を付けた洗濯物干用のピンチを幾つ重ねても、又、折りたたみ式洗濯物干用ピンチを折畳んでも、全く絡まらないのを特徴とした洗濯物干用ピンチです。
【手続補正書】
【提出日】平成16年10月18日(2004.10.18)
【手続補正１】
【補正対象書類名】実用新案登録請求の範囲
【補正対象項目名】全文
【補正方法】変更
【補正の内容】
【実用新案登録請求の範囲】
【請求項１】
洗濯バサミの上部分、つまり指でつまむ部分ではなく、その脇の指でつままない部分に、４箇所に穴を開け、その穴４箇所を通るプラスティック等適用素材の輪を１つ作った洗濯物干用ピンチ。
(57)【要約】      （修正有）【課題】柱に傷を付け柱自体の美観をそこねない身長計測版を提供する。【解決手段】断面四角形の棒材１の一端に上部雄かま断手２と上部雌かま断手３他端に下部雄かま断手４下部雌かま断手５を設け、かつ上部雌かま断手３の先端面から下部雄かま断手４の先端面にかけて目盛６を設けた。【選択図】図１
0003110594.tif 000002
【実用新案登録請求の範囲】
【請求項１】
断面四角形の棒材１の一端に上部雄かま断手２と上部雌かま断手３他端に下部雄かま断手４下部雌かま断手５を設け、かつ上部雌かま断手３の先端面から下部雄かま断手４の先端面にかけて目盛６を設けた身長計測板
【請求項２】
長さの異なる請求項１の身長計測板を連結してなる身長計測板
【考案の詳細な説明】
【技術分野】
【０００１】  本考案は、身長計測板に関するものである。
【背景技術】
【０００２】  柱に刃物又は鉛筆等で印を付けてその位置を計測し、それを記憶にとどめておくなどの方法で身長を測っていた。
【考案の開示】
【考案が解決しようとする課題】
【０００３】  今までは柱に傷をつけ柱自体の美観をそこね、移転等の場合家自体の価値を下げる。借家の場合、特に傷を付ける事さえ禁じられている。
【課題を解決するための手段】
【０００４】  本考案の身長計測板は、断面四角形の棒材１の一端に上部雄かま断手２と上部雌かま断手３他端に下部雄かま断手４下部雌かま断手５を設け、かつ上部雌かま断手３の先端面から下部雄かま断手４の先端面にかけて目盛６を設けたものである。
【考案の効果】
【０００５】  身長計測板は、計測値にマークをしておけば、幼児から大人になるまでその目印が残る。また家を傷付けることもないので、家自体の価値並びに柱の美観をそこなわない。
【考案を実施するための最良の形態】
【０００６】  柱の巾に近い断面四角形の棒材を使用邪魔にならない様取りはずし取り付け増が可能何種類かの寸法を持ち強度も考えてうすいものは使用しない。
【実施例】
【０００７】  図１の上部雄かま断手２上部雌かま断手３に、他にある本考案と同一の身長計測板の下部雄かま断手下部雌かま断手を接続することによりいかなる身長にも計測が可能になる。
【産業上の利用可能性】
【０００８】  本考案で使用する断面四角形の棒材は間伐材を使用し木材の利用可能性を高める。又使用する人は、柱のかわりになる本考案の身長計測板にて家の価値を下げず保持することが出来売買のときも柱の美観をそこなうことなく評価されるであろう。
【図面の簡単な説明】
【０００９】
【図１】  本考案の身長計測板の斜視図
【符号の説明】
【００１０】  １…断面四角形の棒材  ２…上部雄かま断手  ３…上部雌かま断手  ４…下部雄かま断手  ５…下部雌かま断手  ６…目盛
【図１】
0003110594.tif 000003
(57)【要約】【課題】  ブーツを始め履き物全般に使用出来、ブーツの形態保持と同時に、防臭／防湿効果を併せ持つブーツバーを提供する。【解決の手段】  通気孔を設け、取外し可能の蓋を持つブーツバーの内部に、防臭剤／乾燥剤等を収納する。又、着色した合成樹脂や豊富な色柄を印刷した胴部と、マスコット付の上蓋を、組み合わせて使用できる。サイズを変更する事により、長靴／スニーカー／安全靴など、あらゆる履き物に対応する。季節を選ばず、年間を通して使用できる。【選択図】      図１
0003110600.tif 000002
【実用新案登録請求の範囲】
【請求項１】
通気孔を設けた胴部と、取り外し可能な上蓋と下蓋とからなり、その材質が合成樹脂／紙／木等が有るブーツバー
【請求項２】
取り外した蓋より、市販又は専用の防臭剤／乾燥剤／芳香剤等を、内部に収納する事の出来るブーツバー
【請求項３】
サイズ（長さ／太さ）を変える事で、あらゆる履き物に使用する事の出来るブーツバー
【請求項４】
胴部の一部に、イラストや文字を入れるスペースを持つブーツバー
【請求項５】
上蓋の形状が、筒型／球型／マスコット付等が有るブーツバー
【考案の詳細な説明】
【技術分野】
【０００１】  本考案は、ブーツの形態保持とブーツを含むあらゆる履き物の、防臭と乾燥に用いられるブーツバーに関する。
【背景技術】
【０００２】  従来のブーツホルダーは、ブーツの形態に近い物が多く、装着に手間がかかった。【０００３】  形態保持と臭いや湿気の対策として、ブーツホルダーと防臭剤等を、別々に使用する必要があった。【０００４】  通気性に問題の有る物は、シーズンオフの収納には、使用できなかった。【０００５】  ブーツの形態や踝部の太さにこだわるあまり、ファッション性に欠けており、出かける際の収納に困る物が多かった。
【考案の開示】
【考案が解決しようとする課題】
【０００６】  本考案は、取り扱いが容易でファッション性に富み、防臭／乾燥効果を併せ持ち、年間を通して使用出来るブーツバーを提供する事を、目的とする。
【課題を解決するための手段】
【０００７】  本考案のブーツバーは、ブーツの形状にこだわる事なく、形態保持の出来る物である。
これは、多くの女性が新聞紙を丸めたもので代用している事にもとずく。【０００８】  このブーツバーは、臭いや湿気対策の為、内部に防臭剤／乾燥剤等を収納する事が出来る。【０００９】  このブーツバーは、自身が通気孔を持つ事と、ブーツ内部での十分な空間を持つ。【００１０】  このブーツバーは、着色の樹脂、印刷による鮮やかな色彩を持つ胴部やマスコット付の上蓋を使用し、それぞれを組合わせて使用出来る。
【考案の効果】
【００１１】  このブーツバーは、その細長い形態の為、取り扱いが容易である。【００１２】  このブーツバーは、内部に防臭剤等を収納する事で、ブーツの形態保持と臭い等の問題を、一度に解決出来る物である。【００１３】  このブーツバーは、使用時／収納時と、年間を通して使用出来る。【００１４】  このブーツバーは、色柄が豊富な上、胴部と蓋部が組み合わせて使えるなど、非常にファッション性に富んでいる。
【考案を実施するための最良の形態】
【００１５】  このブーツバーは、図１に示す様に、１（上蓋）２（胴部）３（下蓋）とからなる、細長い筒状の形態である。【００１６】  このブーツバーは、蓋部／胴部それぞれに図１−Ａに示す通気孔をもつものである。【００１７】  このブーツバーは、防臭剤／乾燥剤等を収納する為に、蓋は取り外しが出来るものとし、胴部は空洞である。【００１８】  このブーツバーは、機能だけでなくファッション性を持たせる為に、図３に示す様に、数種の上蓋の形状を持ち、尚且つ蓋部と胴部を組み合わせて使用出来る。
【図面の簡単な説明】
【００１９】
【図１】  本考案のブーツバーの姿図である。上蓋／胴部／下蓋の主用部からなる構造で、それぞれに通気孔を持つ。切り抜き部には、防臭剤等を収納した様子を示す。
【００２０】
【図２】  ブーツに、ブーツバーを挿入した様子を示す。
【００２１】
【図３】  筒状の上蓋を示す。
【００２２】
【図４】  球状の上蓋を示す。
【００２３】
【図５】  マスコット付の上蓋を示す。（マスコットの形態は例として記載したものである）
【００２４】
【図６】  ブーツバー専用の収納用防臭剤の形状を示す。
【符号の説明】
【００２５】１        上蓋
２        胴部
３        下蓋
４        上蓋（球状）
５        上蓋（マスコット付）
Ａ        通気孔
Ｂ        収納用防臭剤等
【図１】
0003110600.tif 000003
【図２】
0003110600.tif 000004
【図３】
0003110600.tif 000005
【図４】
0003110600.tif 000006
【図５】
0003110600.tif 000007
【図６】
0003110600.tif 000008